(57)【要約】【課題】 曲げ剛性の方向性を低減し余長の収納作業性を兼ね備えた光ファイバテープ心線、光ファイバケーブル及び光ファイバ接続方法を提供する。【解決手段】光ファイバテープ心線１０は、両端の第１光ファイバ心線１７の中心Ａ１と第４光ファイバ心線２０の中心Ａ４とを結ぶ中心軸線Ａ０上からずれた位置に第２光ファイバ心線１８の中心Ａ２及び第３光ファイバ心線１９の中心Ａ３を配置した。これにより、両端の第１光ファイバ心線１７及び第４光ファイバ心線２０以外の第２光ファイバ心線１８及び第３光ファイバ心線１９が中心軸線Ａ０からずらして配置されることでテープ幅Ｌ１を狭めることができる。【選択図】図１
2011232373.tif 000002
【特許請求の範囲】
【請求項１】
３心以上の光ファイバ心線の全周を被覆した光ファイバテープ心線であって、
両端の前記光ファイバ心線の中心を結ぶ中心軸線上に、その他の前記光ファイバ心線の中心が無いように配置したことを特徴とする光ファイバテープ心線。
【請求項２】
少なくとも一対の前記光ファイバ心線間に該光ファイバ心線の外周を被覆する外被を含めた前記光ファイバ心線の外径寸法より薄いブリッジ部を設け、複数の前記光ファイバ心線を一体化したことを特徴とする請求項１に記載した光ファイバテープ心線。
【請求項３】
前記両端の光ファイバ心線以外の複数の前記光ファイバ心線は、前記中心軸線に対して交互にずれて配置したことを特徴とする請求項１または２に記載した光ファイバテープ心線。
【請求項４】
隣り合う前記光ファイバ心線の中心位置は、前記テープ心線の幅方向に順次ずれていることを特徴とする請求項１〜３のいずれかに記載した光ファイバテープ心線。
【請求項５】
請求項１〜４のいずれかに記載の光ファイバテープ心線をスペーサ内に複数本集合させ、その外周に押さえ巻きを巻き、熱可塑性樹脂により外被を施したことを特徴とする光ファイバケーブル。
【請求項６】
請求項１〜５のいずれかに記載の光ファイバテープ心線の接続端部を、融着接続機の光ファイバホルダの光ファイバ整列溝上に配置し、前記ホルダの上部押さえ蓋で押しつけることにより複数の前記光ファイバ心線の中心を一平面内に並列状に整列させてから、一括融着接続することを特徴とする光ファイバ接続方法。
【発明の詳細な説明】
【技術分野】
【０００１】
本発明は、複数の単心光ファイバを集合させた光ファイバテープ心線とその光ファイバの接続方法、及び光ファイバテープ心線をさらに多数集合させた多心光ファイバケーブルに関する。
【背景技術】
【０００２】
従来の多心光ファイバケーブルの一例として、図９に示した多心光ファイバケーブル２００は、４本の単心被覆光ファイバ２０１をストレートまたは撚り合わせて、識別糸２０２を巻きつけて一体化した後に、中心にテンションメンバ２０４を有するスペーサ２０３のスペーサ溝２０５内に集合させ、その外周に押さえテープ２０６を巻き、さらにその外周に外被２０７が形成されている（例えば、特許文献１参照）。
また、図１０に示した多心光ファイバケーブル２１０は、４心の光ファイバ２１１からなる複数の光ファイバテープ心線２１２をスペーサ溝２０５内に整列積層させたものである。
【先行技術文献】
【特許文献】
【０００３】
【特許文献１】特開平１１−６９４３号公報
【発明の概要】
【発明が解決しようとする課題】
【０００４】
しかしながら、上記特許文献１に開示された従来の多心光ファイバケーブル２００では、ケーブル端末での接続作業が一括で行えず、例えば、１０００心ケーブルの場合では、１０００回の融着接続を行う必要があり、接続作業に長時間を要していた。
また、多心光ファイバケーブル２１０の光ファイバテープ心線２１２であれば、一括で複数本の光ファイバを接続可能である。しかしながら、幅を持ったテープ心線をクロージャ等の余長収納部に収納する際には、曲げ剛性の方向性により、曲げ方向をきちんと整列させてから収納する必要が有り、収納作業に時間を要するという課題があった。
【０００５】
本発明の目的は、前述した課題を解決するためになされたものであり、一括で接続できるテープ心線のメリットと、テープ幅を極力狭めることで曲げ剛性の方向性を低減し余長の収納作業性を兼ね備えた光ファイバテープ心線、光ファイバケーブル及び光ファイバ接続方法を提供することにある。
【課題を解決するための手段】
【０００６】
上記課題を解決することができる本発明に係る光ファイバテープ心線は、３心以上の光ファイバ心線の全周を被覆した光ファイバテープ心線であって、両端の前記光ファイバ心線の中心を結ぶ中心軸線上に、その他の前記光ファイバ心線の中心が無いように配置したことを特徴としている。
【０００７】
このように構成された光ファイバテープ心線によれば、両端の光ファイバ心線を結ぶ中心軸線上からずれた位置にその他の光ファイバ心線の中心が配置されている。これにより、テープ心線のテープ幅を狭めることができるので、一括で接続できるテープ心線のメリットと、曲げ剛性の方向性を低減して余長収納作業が容易なメリットとを兼ね備えることができる。略テープ形状の心線形態によれば、押圧により従来の完全並列に配置されたテープ心線と同じ形状になるので、従来のテープ心線と同様の短時間で接続できる。
【０００８】
また、本発明に係る光ファイバテープ心線においては、少なくとも一対の前記光ファイバ心線間に該光ファイバ心線の外周を被覆する外被を含めた前記光ファイバ心線の外径寸法より薄いブリッジ部を設け、複数の前記光ファイバ心線を一体化していることが好ましい。
【０００９】
このように構成された光ファイバテープ心線によれば、少なくとも一対の光ファイバ心線間のブリッジ部により一体化されているので、テープ心線の厚み方向からの押圧によりブリッジ部である連結部分を容易に分断させることができる。これにより、融着接続機の光ファイバホルダにテープ心線をセットして、複数の光ファイバ心線の中心を一平面内に並列状に整列させてから、一括融着接続を行うことができる。また、ブリッジ部によって隣り合う光ファイバ心線同士の相対位置が可動となり光ファイバケーブルに収納した際に歪を低減する方向に光ファイバ心線をずらすことができる。
【００１０】
また、本発明に係る光ファイバテープ心線においては、前記両端の光ファイバ心線以外の複数の前記光ファイバ心線は、前記中心軸線に対して交互にずれて配置されていることが好ましい。
【００１１】
このように構成された光ファイバテープ心線によれば、両端の光ファイバ心線以外の光ファイバ心線が中心軸線に対して交互にずれて配置されているので、各光ファイバ心線間を狭めることができ、幅方向に曲げられない従来の完全並列なテープ心線と比べて、曲げ剛性の方向性を低減させることができる。これにより、クロージャ内部の余長収納ケース内に光ファイバ心線を収納する際には、光ファイバ心線の曲げの方向性に配慮して丁寧に整列させる必要がなくなり、収納作業の短縮を図ることができる。
【００１２】
また、本発明に係る光ファイバテープ心線においては、隣り合う前記光ファイバ心線の中心位置は、前記テープ心線の幅方向に順次ずれていることが好ましい。
【００１３】
このように構成された光ファイバテープ心線によれば、光ファイバテープ心線の厚み方向から押圧を加えて平面テープ状に崩す際に、隣り合う光ファイバ心線の中心位置がテープ心線の幅方向に順次ずれているので、融着接続機の光ファイバホルダ内で光ファイバ心線の配列順番の入れ替わりを確実に回避することができる。
【００１４】
上記課題を解決することができる本発明に係る光ファイバケーブルは、上記光ファイバテープ心線をスペーサ内に複数本集合させ、その外周に押さえ巻きを巻き、熱可塑性樹脂により外被を施したことを特徴としている。
【００１５】
このように構成された光ファイバケーブルによれば、従来の並列の光ファイバテープ心線を用いたケーブル同様の安定した歪/伝送損失を維持したケーブルを製造することができる。また、光ファイバ接続時に、一括融着接続を行うことができる。
【００１６】
上記課題を解決することができる本発明に係る光ファイバ接続方法は、上記光ファイバテープ心線の接続端部を、融着接続機の光ファイバホルダの光ファイバ整列溝上に配置し、前記ホルダの上部押さえ蓋で押しつけることにより複数の前記光ファイバ心線の中心を一平面内に並列状に整列させてから、一括融着接続することを特徴としている。
【００１７】
このように構成された光ファイバ接続方法によれば、複数の光ファイバがまとまった光ファイバテープ心線の接続端部を光ファイバホルダの光ファイバ整列溝上に配置して上部押さえ蓋で押しつける。これにより、複数の光ファイバ心線の中心を一平面内に並列状に整列させることができるので、接続作業が容易となり作業時間を短縮することができる。なお、単心光ファイバの場合は、光ファイバホルダ内に複数本の光ファイバを平行に並べてセットする作業が煩雑で作業時間が掛かる。
【発明の効果】
【００１８】
本発明に係る光ファイバテープ心線、光ファイバケーブル及び光ファイバ接続方法によれば、一括で接続できるテープ心線のメリットと、曲げ剛性の方向性を低減して余長収納作業が容易なメリットとを兼ね備えることができる。
【図面の簡単な説明】
【００１９】
【図１】本発明の第１実施形態に係る光ファイバテープ心線の断面図である。
【図２】図１の光ファイバテープ心線を適用した光ファイバ接続方法を示す概略図であり、（Ａ）は第１段階の断面図、（Ｂ）は第２段階の断面図である。
【図３】図１の光ファイバテープ心線を適用した光ファイバケーブルの断面図である。
【図４】本発明の第２実施形態に係る光ファイバテープ心線の断面図である。
【図５】本発明の第３実施形態に係る光ファイバテープ心線の断面図である。
【図６】本発明の第４実施形態に係る光ファイバテープ心線の断面図である。
【図７】本発明の第５実施形態に係る光ファイバテープ心線の断面図である。
【図８】本発明の第６実施形態に係る光ファイバテープ心線の断面図である。
【図９】従来の光ファイバケーブルの断面図である。
【図１０】従来の別の光ファイバケーブルの断面図である。
【発明を実施するための形態】
【００２０】
以下、本発明の複数の実施形態に係る光ファイバテープ心線について図面を参照して説明する。
【００２１】
（第１実施形態）
図１に示すように、本発明の第１実施形態である光ファイバテープ心線１０は、第１光ファイバ心線１７、第２光ファイバ心線１８、第３光ファイバ心線１９及び第４光ファイバ心線２０の４心からなる変形タイプのテープ心線である。各光ファイバ心線１７〜２０は、中心にコアとクラッドからなるガラスファイバ１１〜１４を有し、このガラスファイバ１４の外周を樹脂製の保護被覆１５により被覆した構成になっている。そして、各光ファイバ心線１７〜２０は、その外周を外被１６によって被われており、隣り合う光ファイバ心線間がブリッジ部２１によって並列状に連結されている。
【００２２】
光ファイバテープ心線１０は、両端の第１光ファイバ心線１７の中心Ａ１と第４光ファイバ心線２０の中心Ａ４とを結ぶ中心軸線Ａ０上に、その他の第２光ファイバ心線１８の中心Ａ２及び第３光ファイバ心線１９の中心Ａ３が無いように各光ファイバ心線１７〜２０が千鳥状に配置されている。
【００２３】
光ファイバテープ心線１０は、例えば、幅寸法Ｌ１が０．８０ｍｍ、高さ寸法Ｌ２が０．５３ｍｍであり、外被１６の厚さ寸法Ｔ１が０．０１５ｍｍである。そのため、各第１光ファイバ心線１７〜２０の外周の外被１６を含めた外径寸法Ｈ１は、例えば、０．２８ｍｍである。
【００２４】
光ファイバテープ心線１０は、第１光ファイバ心線１７と第２光ファイバ心線１８との間に所定間隔Ｌ４を設けている。この所定間隔Ｌ４は、第１光ファイバ心線１７と第２光ファイバ心線１８が外被１６と一体のブリッジ部２１によって連結されることで形成される。ブリッジ部２１は、第１光ファイバ心線１７の中心Ａ１と第２光ファイバ心線１８の中心Ａ２を結ぶ中心軸線Ａ５上で、第１光ファイバ心線１７側の外被１６と第２光ファイバ心線１８側の外被１６を連結している。
【００２５】
同様に、第２光ファイバ心線１８と第３光ファイバ心線１９の間隔、及び第３光ファイバ心線１９と第４光ファイバ心線２０の間隔もブリッジ部２１によって中心軸線Ａ６及びＡ７上で連結されることにより所定間隔Ｌ４が形成されている。ブリッジ部２１の寸法は、例えば、厚さ寸法Ｌ３が上述した外径寸法Ｈ１よりも薄い６０μｍ、長さ寸法Ｌ４が５０μｍである。
なお、保護被覆１５の外周に厚さ１μｍから１０μｍ程度の着色層が形成されていても良い。また、各ガラスファイバ１１〜１４の周囲に薄膜状のカーボン層がコーティングされていても良い。
【００２６】
外被１６及びブリッジ部２１の材質としては、ＵＶアクリレート樹脂を用いることができる。ＵＶアクリレート樹脂のヤング率は０．５〜４５ＭＰａの範囲であり、伸びは７５〜２５０％の範囲にあることが望ましい。これにより、ブリッジ部２１の可撓性を確保することができる。また、伸びの大きいＵＶアクリレート樹脂を使用することで、ブリッジ部２１を曲げた際の破断を防止することができる。
【００２７】
次に、光ファイバテープ心線１０を適用した光ファイバ接続方法について説明する。
図２（Ａ）に示すように、光ファイバテープ心線１０の接続には融着接続機が使用される。融着接続機にセットされる光ファイバホルダ３０は、基台３１の上面に光ファイバ整列溝３２を備えており、光ファイバ整列溝３２を閉塞するように基台３１の端部にヒンジ３３により連結された上部押え蓋３４を備えている。
【００２８】
光ファイバ接続工程の第１段階では、光ファイバテープ心線１０を光ファイバホルダ３０の光ファイバ整列溝３２内に配置する。このとき、光ファイバテープ心線１０は、光ファイバ整列溝３２よりも十分大きい高さ寸法を有しているため、光ファイバ整列溝３２から突出している。
【００２９】
光ファイバ接続工程の第２段階では、上部押さえ蓋３４を閉塞方向に回動することで突出した光ファイバテープ心線１０の上部を押圧しながら光ファイバ整列溝３２を閉塞する。これにより、光ファイバテープ心線１０の高さ寸法Ｌ２は潰されて、一平面内に並列状に変形する。即ち、上部押さえ蓋３４による押圧力によりブリッジ部２１が崩され、高さ寸法Ｌ２から上述した外径寸法Ｈ１になる。なお、ブリッジ部２１は潰されたときに、変形されても良いし、切断されても良い。
【００３０】
次に、光ファイバホルダ３０の先端部側から突き出た光ファイバテープ心線１０の各保護被覆１５及び外被１６を所定箇所から被覆除去具を用いて除去し、先端部側のガラスファイバ１１〜１４を露出させる。その後、露出されたガラスファイバ１１〜１４を所定長さに切断して接続端部を揃える。これらの被覆除去及びファイバカットは、光ファイバテープ心線１０がホルダ先端部で、所定ピッチで整列保持されているため、効率良く作業を行うことができる。
【００３１】
次に、光ファイバテープ心線１０を、不図示の相手側光ファイバテープ心線の接続端部に突き合わせて保持させた状態で一括融着接続を行う。
【００３２】
図３に示すように、上記光ファイバテープ心線１０を複数本、例えば、２本の光ファイバテープ心線１０を中心にテンションメンバ３を有するスペーサ２のスペーサ溝４内に集合させてから、その外周上に押さえ巻き５を巻く。そして、さらに外周に熱可塑性樹脂よりなる外被６を施して光ファイバケーブル１を形成する。
【００３３】
上述したように第１実施形態の光ファイバテープ心線１０によれば、両端の第１光ファイバ心線１７の中心Ａ１と第４光ファイバ心線２０の中心Ａ４とを結ぶ中心軸線Ａ０上からずれた位置に第２光ファイバ心線１８の中心Ａ２及び第３光ファイバ心線１９の中心Ａ３を配置した。これにより、両端の第１光ファイバ心線１７及び第４光ファイバ心線２０以外の第２光ファイバ心線１８及び第３光ファイバ心線１９が中心軸線Ａ０からずらして配置されることでテープ幅Ｌ１を狭めることができる。
したがって、光ファイバテープ心線１０は、一括で接続できるテープ心線のメリットと、曲げ剛性の方向性を低減して収納作業を容易にしたメリットを兼ね備えている。略テープ形状の心線形態によって、押圧により従来の完全並列に配置されたテープ心線と同じ形状になるので、従来のテープ心線と同様の短時間で接続できる。
【００３４】
また、第１光ファイバ心線１７と第２光ファイバ心線１８との間、第２光ファイバ心線１８と第３光ファイバ心線１９との間、及び第３光ファイバ心線１９と第４光ファイバ心線２０との間に光ファイバ心線１７〜２０の外周を被覆する外被１６を含めた光ファイバ心線１７〜２０の外径寸法Ｈ１より薄いブリッジ部２１を設け、複数の光ファイバ心線１７〜２０を一体化した。これにより、光ファイバホルダ３０にテープ心線１０をセットして、テープ心線１０の厚み方向からの押圧によりブリッジ部２１である連結部分を容易に分断させることができる。
したがって、複数の光ファイバ心線１７〜２０の中心を一平面内に並列状に整列させてから、一括融着接続を行うことができる。また、ブリッジ部２１によって隣り合う光ファイバ心線同士の相対位置が可動となり光ファイバケーブル１に収納した際に歪を低減する方向に光ファイバ心線１７〜２０をずらすことができる。
【００３５】
また、両端の光ファイバ心線１７，２０以外の複数の光ファイバ心線１８，１９は、中心軸線Ａ０に対して交互にずれて配置されている。これにより、各光ファイバ心線１７〜２０間を狭めることができ、従来の完全並列なテープ心線と比べて、各光ファイバ心線１７〜２０を密集させることができ、曲げ剛性の方向性を低減することができる。この光ファイバテープ心線１０により多心光ファイバケーブル１を形成した場合、テープ心線１０については可撓性を有するブリッジ部２１を支点に各光ファイバ心線１７〜２０が動くことができる。これにより、低歪で安定した伝送性能を維持した多心光ファイバケーブル１を実現できる。
【００３６】
また、隣り合う光ファイバ心線１７〜２０の中心Ａ１〜Ａ４は、テープ心線１０の幅方向に互いにずれている。これにより、光ファイバホルダ３０内でテープ心線１０の厚み方向から押圧を加える場合、光ファイバ心線１７〜２０の配列順番の入れ替わりを確実に回避することができる。
【００３７】
また、第１実施形態の光ファイバケーブル１によれば、光ファイバテープ心線１０をスペーサ溝４内に複数本集合させ、その外周に押さえ巻き５を巻き、熱可塑性樹脂により外被６を施している。これにより、従来のスペーサ型ケーブルと同等の安定した歪/伝送損失を維持することができる。また、光ファイバ接続時に、一括融着接続を行うことができる。
【００３８】
更に、第１実施形態の光ファイバ接続方法によれば、光ファイバテープ心線１０の接続端部を、光ファイバホルダ３０の光ファイバ整列溝３２上に配置し、光ファイバホルダ３０の上部押さえ蓋３４で押しつける。これにより、複数の光ファイバ心線１７〜２０の中心Ａ１〜Ａ４を一平面内に並列状に整列させてから一括融着接続する。したがって、接続作業が容易となり作業時間を短縮することができる。
【００３９】
（第２実施形態）
次に、本発明の第２実施形態に係る光ファイバテープ心線について説明する。なお、以下の各実施形態において、上述した第１実施形態と同一な構成要素については、同一又は類似符号を付すことによって構成及び作用効果の説明を省略する。
【００４０】
図４に示すように、本発明の第２実施形態である光ファイバテープ心線４０は、第１光ファイバ心線５１、第２光ファイバ心線５２、第３光ファイバ心線５３、第４光ファイバ心線５４、第５光ファイバ心線５５、第６光ファイバ心線５６、第７光ファイバ心線５７及び第８光ファイバ心線５８の８心からなる変形タイプのテープ心線である。
【００４１】
光ファイバテープ心線４０は、両端の第１光ファイバ心線５１の中心Ｂ１と第８光ファイバ心線５８の中心Ｂ８を結ぶ中心軸線Ｂ０に対して、第２光ファイバ心線５２の中心Ｂ２、第３光ファイバ心線５３の中心Ｂ３、第４光ファイバ心線５４の中心Ｂ４、第５光ファイバ心線５５の中心Ｂ５、第６光ファイバ心線５６の中心Ｂ６、第７光ファイバ心線５７の中心Ｂ７を交互にずらしてジグザグ状に配置されている。
【００４２】
各光ファイバ心線５１〜５８は、中心にコアとクラッドからなるガラスファイバ４１〜４８を有し、このガラスファイバ４１〜４８の外周を樹脂製の保護被覆４９により被覆した構成になっている。そして、各光ファイバ心線５１〜５８は、その外周を外被５０によって被われており、隣り合う光ファイバ心線間がブリッジ部５９によって並列状に連結されている。
【００４３】
光ファイバテープ心線４０は、中心軸線Ｂ９上に設けられたブリッジ部５９によって第１光ファイバ心線５１と第２光ファイバ心線５２が所定間隔を形成して一体化されている。同様に、第２光ファイバ心線５２と第３光ファイバ心線５３の間、第３光ファイバ心線５３と第４光ファイバ心線５４の間及び第４光ファイバ心線５４と第５光ファイバ心線５５の間が、中心軸線Ｂ１０〜Ｂ１２上に設けられたブリッジ部５９によって所定間隔を形成している。更に、第５光ファイバ心線５５と第６光ファイバ心線５６の間、第６光ファイバ心線５６と第７光ファイバ心線５７の間及び第７光ファイバ心線５７と第８光ファイバ心線５８の間が、中心軸線Ｂ１３〜Ｂ１５上に設けられたブリッジ部５９によって所定間隔を形成している。
【００４４】
上述したように第２実施形態の光ファイバテープ心線４０によれば、両端の第１光ファイバ心線５１及び第８光ファイバ心線５８以外の各光ファイバ心線５２〜５７が中心軸線Ｂ０に対して交互配列されている。これにより、光ファイバテープ心線４０の曲げ剛性の方向性を低減することができ、余長収納作業時にテープ心線を丁寧に整列させる必要がなくなり、余長収納作業の時間短縮を図ることができる。
【００４５】
（第３実施形態）
次に、本発明の第３実施形態に係る光ファイバテープ心線について説明する。
図５に示すように、本発明の第３実施形態である光ファイバテープ心線６０は、第１光ファイバ心線６７、第２光ファイバ心線６８、第３光ファイバ心線６９及び第４光ファイバ心線７０の４心からなる変形タイプのテープ心線である。
【００４６】
光ファイバテープ心線６０は、両端の第１光ファイバ心線６７の中心Ｃ１と第４光ファイバ心線７０の中心Ｃ４を結ぶ中心軸線Ｃ０に対して、第２光ファイバ心線６８の中心Ｃ２と第３光ファイバ心線６９の中心Ｃ３を同方向側にずらして山形状に配置している。
【００４７】
各光ファイバ心線６７〜７０は、中心にコアとクラッドからなるガラスファイバ６１〜６４を有し、このガラスファイバ６１〜６４の外周を樹脂製の保護被覆６５により被覆した構成になっている。そして、各光ファイバ心線６７〜７０は、その外周を外被６６によって被われている。
【００４８】
光ファイバテープ心線６０は、隣り合う第１光ファイバ心線６７と第２光ファイバ心線６８の間、及び第３光ファイバ心線６９と第４光ファイバ心線７０の間には、所定間隔を形成するためのブリッジ部７１が中心軸線Ｃ５及びＣ６上に設けられている。一方、第２光ファイバ心線６８と第３光ファイバ心線６９の間には、ブリッジ部７１は設けられておらず、第２光ファイバ心線６８と第３光ファイバ心線６９はフラット状に直接接触している。したがって、光ファイバテープ心線６０は、第１光ファイバ心線６７と第２光ファイバ心線６８、及び第３光ファイバ心線６９と第４光ファイバ心線７０がブリッジ部７１により連結されており、第２光ファイバ心線６８と第３光ファイバ心線６９が外被６６により連結されており、全体的には並列状に一体化されている。
【００４９】
上述した第３実施形態の光ファイバテープ心線６０によれば、両端の第１光ファイバ心線６７の中心Ｃ１と第４光ファイバ心線７０の中心Ｃ４を結ぶ中心軸線Ｃ０のいずれか一方側に、第２光ファイバ心線６８の中心Ｃ２と第３光ファイバ心線６９の中心Ｃ３をずらして山形状に配置されている。これにより、光ファイバホルダ３０の光ファイバ整列溝３２に光ファイバテープ心線６０を配置して、光ファイバホルダ３０により上方から押圧して平面テープ状に崩す際に、各光ファイバ心線６７〜７０の順番入れ替わりを確実に回避することができる（図２参照）。
【００５０】
（第４実施形態）
次に、本発明の第４実施形態に係る光ファイバテープ心線について説明する。
図６に示すように、本発明の第４実施形態である光ファイバテープ心線８０は、上記実施形態の光ファイバテープ心線６０の構成に類似しており、第１光ファイバ心線８７、第２光ファイバ心線８８、第３光ファイバ心線８９及び第４光ファイバ心線９０の４心からなる変形タイプのテープ心線である。
【００５１】
光ファイバテープ心線８０は、両端の第１光ファイバ心線８７の中心Ｄ１と第４光ファイバ心線９０の中心Ｄ４を結ぶ中心軸線Ｄ０に対して、第２光ファイバ心線８８の中心Ｄ２と第３光ファイバ心線８９の中心Ｄ３を同方向側にずらして山形状に配置している。
【００５２】
光ファイバテープ心線８０は、隣り合う第１光ファイバ心線８７と第２光ファイバ心線８８の間、及び第３光ファイバ心線８９と第４光ファイバ心線９０の間には、所定間隔を形成するためのブリッジ部９１が中心軸線Ｄ５及びＤ７上に設けられている。
【００５３】
加えて、光ファイバテープ心線８０は、上記光ファイバテープ心線６０と異なり、第２光ファイバ心線８８と第３光ファイバ心線８９の間に、比較的長い所定間隔Ｌ５を形成するためのブリッジ部９１が中心軸線Ｄ６上に設けられている。したがって、第２光ファイバ心線８８と第３光ファイバ心線８９は、このブリッジ部９１によってフラット状に連結されており、全体的には並列状に連結されている。
【００５４】
上述した第４実施形態の光ファイバテープ心線８０によれば、第２光ファイバ心線８８と第３光ファイバ心線８９の間に、他のブリッジよりも比較的長い所定間隔Ｌ５を形成するブリッジ部９１が設けられている。これにより、光ファイバホルダ３０により上方から押圧して平面テープ状に崩す際に、第２光ファイバ心線８８と第３光ファイバ心線８９との間の剛性が他のブリッジ部分よりも大きくなっている。したがって、第２光ファイバ心線８２と第３光ファイバ心線８３との間で過度の変形を起こすことなく、各光ファイバ心線８７〜９０の順番入れ替わりを確実に回避することができる。
【００５５】
（第５実施形態）
次に、本発明の第５実施形態に係る光ファイバテープ心線について説明する。
図７に示すように、本発明の第５実施形態である光ファイバテープ心線１００は、上記実施形態の光ファイバテープ心線６０の構成に類似しており、第１光ファイバ心線１０７、第２光ファイバ心線１０８、第３光ファイバ心線１０９及び第４光ファイバ心線１１０の４心からなる変形タイプのテープ心線である。
【００５６】
光ファイバテープ心線１００は、両端の第１光ファイバ心線１０７の中心Ｅ１と第４光ファイバ心線１１０の中心Ｅ４を結ぶ中心軸線Ｅ０に対して、第２光ファイバ心線１０８の中心Ｅ２と第３光ファイバ心線１０９の中心Ｅ３を同方向側にずらして山形状に配置している。また、各光ファイバ心線１０７〜１１０は、その外周を外被１０６によって被われている。
【００５７】
光ファイバテープ心線１００は、隣り合う第１光ファイバ心線１０７と第２光ファイバ心線１０８の間、及び第３光ファイバ心線１０９と第４光ファイバ心線１１０の間には、所定間隔を形成するためのブリッジ部１１１が中心軸線Ｅ５及びＥ７上に設けられている。一方、第２光ファイバ心線１０８と第３光ファイバ心線１０９の間は、上記光ファイバテープ心線６０と同様に、ブリッジ部１１１が設けられておらず、第２光ファイバ心線１０８と第３光ファイバ心線１０９は、フラット状に直接接触している。
【００５８】
加えて、光ファイバテープ心線１００は、上記光ファイバテープ心線６０と異なり、第２光ファイバ心線１０８と第３光ファイバ心線１０９との連結部分が肉厚の外被１０６によって連結されている。即ち、連結部分の外被１０６の上面及び下面がフラット状の肉厚に形成されている。したがって、光ファイバテープ心線８０は、外被１０６とブリッジ部１１１によって全体的には並列状に一体化されている。
【００５９】
上述した第５実施形態の光ファイバテープ心線１００によれば、第２光ファイバ心線１０８と第３光ファイバ心線１０９との間を肉厚の外被１０６によって連結している。これにより、光ファイバホルダ３０により上方から押圧して平面テープ状に崩す際に、第２光ファイバ心線１０８と第３光ファイバ心線１０９との間がフラット状に且つ強固に配置されているため、各光ファイバ心線１０７〜１１０の順番入れ替わりを確実に回避することができる。
【００６０】
（第６実施形態）
次に、本発明の第６実施形態に係る光ファイバテープ心線について説明する。
図８に示すように、本発明の第６実施形態である光ファイバテープ心線１２０は、第１光ファイバ心線１３１、第２光ファイバ心線１３２、第３光ファイバ心線１３３、第４光ファイバ心線１３４、第５光ファイバ心線１３５、第６光ファイバ心線１３６、第７光ファイバ心線１３７及び第８光ファイバ心線１３８の８心からなる変形タイプのテープ心線である。
【００６１】
光ファイバテープ心線１２０は、両端の第１光ファイバ心線１３１と第８光ファイバ心線１３８を結ぶ中心軸線Ｆ０に対して、一方側に第２光ファイバ心線１３２、第３光ファイバ心線１３３及び第４光ファイバ心線１３４の３心をずらして配置すると共に、他方側に第５光ファイバ心線１３５、第６光ファイバ心線１３６及び第７光ファイバ心線１３７の３心をずらして配置することで、全体的にはＮ字状に配置している。
【００６２】
光ファイバテープ心線１２０は、第１光ファイバ心線１３１と第２光ファイバ心線１３２の間及び第２光ファイバ心線１３２と第３光ファイバ心線１３３の間が、中心軸線Ｆ９上に設けられた２つのブリッジ部１３９によって所定間隔を形成して直線的に連結されている。同様に、第３光ファイバ心線１３３と第４光ファイバ心線１３４の間、第４光ファイバ心線１３４と第５光ファイバ心線１３５の間及び第５光ファイバ心線１３５と第６光ファイバ心線１３６の間が、中心軸線Ｆ１０上に設けられた３つのブリッジ部１３９によって所定間隔を形成して直線的に連結されている。
【００６３】
更に、第６光ファイバ心線１３６と第７光ファイバ心線１３７の間及び第７光ファイバ心線１３７と第８光ファイバ心線１３８の間が、中心軸線Ｆ１１上に設けられた２つのブリッジ部１３９によって所定間隔を形成して直線的に連結されている。したがって、全体的には第１光ファイバ心線１３１から第８光ファイバ心線１３８が、７つのブリッジ部１３９を介してＮ字状に一体的に連結されている。
【００６４】
上述した第６実施形態の光ファイバテープ心線１２０によれば、両端の第１光ファイバ心線１３１及び第８光ファイバ心線１３８以外の各光ファイバ心線１３２〜１３７が、中心軸線Ｆ０に対して、一方側に光ファイバ心線１３２〜１３４の３心をずらして配置すると共に、他方側に光ファイバ心線１３５〜１３７の３心をずらして配置している。これにより、テープ心線１２０の曲げ剛性の方向性を低減することができ、余長収納作業時にテープ心線を丁寧に整列させる必要がなくなり、余長収納作業の時間短縮を図ることができる。
【００６５】
なお、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【符号の説明】
【００６６】
１  光ファイバケーブル
２  押さえ巻き
３、１６、５０、６６、８６、１０６、１３０  外被
４  テンションメンバ
１０、４０、６０、８０、１００、１２０  光ファイバテープ心線
１７、５１、６７、８７、１０７、１３１  第１光ファイバ心線
１８、５２、６８、８８、１０８、１３２  第２光ファイバ心線
１９、５３、６９、８９、１０９、１３３  第３光ファイバ心線
２０、５４、７０、９０、１１０、１３４  第４光ファイバ心線
２１、５９、７１、９１、１１１、１３９  ブリッジ部
３０  光ファイバホルダ
３１  基台
３２  光ファイバ整列溝
３４  上部押さえ蓋
５５、１３５  第５光ファイバ心線
５６、１３６  第６光ファイバ心線
５７、１３７  第７光ファイバ心線
５８、１３８  第８光ファイバ心線
【図１】
2011232373.tif 000003
【図２】
2011232373.tif 000004
【図３】
2011232373.tif 000005
【図４】
2011232373.tif 000006
【図５】
2011232373.tif 000007
【図６】
2011232373.tif 000008
【図７】
2011232373.tif 000009
【図８】
2011232373.tif 000010
【図９】
2011232373.tif 000011
【図１０】
2011232373.tif 000012